(57)【要約】【課題】  複数項目の計測に基づく胎児の状況の全体像を容易に把握することができる超音波診断装置、計測結果表示装置および計測結果表示装置の制御プログラムを提供する。【解決手段】  超音波の送受信によって得られた母体の画像に基づいて、母体内の胎児に対する複数項目の計測を行う超音波診断装置において、この複数項目の計測結果とこの複数項目それぞれに関する標準値との相対関係を示すグラフを作成する手段と、このグラフを表示する手段とを備える。【選択図】  図２
2006326285.tif 000002
【特許請求の範囲】
【請求項１】
超音波の送受信によって得られた母体の画像に基づいて、前記母体内の胎児に対する複数項目の計測を行う超音波診断装置において、
前記複数項目の計測結果と、前記複数項目のそれぞれに関する標準値との相対関係を示すグラフを生成するグラフ作成手段と、
前記グラフを表示するモニタと、
を含むことを特徴とする超音波診断装置。
【請求項２】
前記標準値は、計測結果の平均値、または一般的に知られている標準値であることを特徴とする請求項１に記載の超音波診断装置。
【請求項３】
前記標準値は、計測結果を用いた診断のための上限値又は下限値であることを特徴とする請求項１に記載の超音波診断装置。
【請求項４】
オペレーターが装置に対して入力を行うための入力手段を更に備え、
前記グラフ作成手段は、前記入力手段への入力によって選択された複数項目の計測についてグラフを作成することを特徴とする請求項１に記載の超音波診断装置。
【請求項５】
オペレーターが装置に対して入力を行うための入力手段と、
複数の時点での計測結果を保存する計測結果保存を更に備え、
前記グラフ作成手段は、前記入力手段への入力によって選択された時点の計測についてグラフを作成することを特徴とする請求項１に記載の超音波診断装置。
【請求項６】
オペレーターが装置に対して入力を行うための入力手段を更に備え、
前記前記グラフ作成手段は、前記入力手段への入力によって各項目毎に選択された前記標準値との相対関係を示すグラフを作成することを特徴とする請求項１に記載の超音波診断装置。
【請求項７】
前記グラフ作成手段は、複数胎児についての計測結果を重ねて示すグラフを生成することを特徴とする請求項１に記載の超音波診断装置。
【請求項８】
前記グラフ作成手段は、前記グラフとしてレーダーチャートを生成することを特徴とする請求項１に記載の超音波診断装置。
【請求項９】
前記グラフ作成手段は、
前記レーダーチャートの各軸に対して前記項目を割り当て、前記各軸のスケールを、前記各軸それぞれに割り当てられた項目に関する前記標準値との相対関係を示すスケールとすることを特徴とする請求項８に記載の超音波診断装置。
【請求項１０】
前記グラフ作成手段は、
前記レーダーチャートの各軸をパーセントスケールとするとともに、前記各軸の中心を前記各軸それぞれに割り当てられた項目の計測結果の平均値とすることを特徴とする請求項９に記載の超音波診断装置。
【請求項１１】
前記グラフ作成手段は、前記グラフとして棒グラフを生成することを特徴とする請求項１に記載の超音波診断装置。
【請求項１２】
前記グラフ作成手段は、
前記棒グラフの各棒に対して項目を割り当て、各棒それぞれにおいて前記標準値を示す高さが等しくなるように棒グラフを作成することを特徴とする請求項１１に記載の超音波診断装置。
【請求項１３】
複数の時点での計測結果を保存する計測結果保存手段を更に備え、  
前記グラフ作成手段は、前記グラフとして、複数の時点での計測結果を示すグラフを作成することを特徴とする請求項１に記載の超音波診断装置。
【請求項１４】
前記グラフ作成手段は、
前記グラフとして、一方の軸に対応して前記時点を示し、他方の軸に対応して前記標準値との相対関係を示す折れ線グラフを作成することを特徴とする請求項１３に記載の超音波診断装置。
【請求項１５】
母体内の胎児に対する複数項目の計測結果の表示を行う計測結果表示装置において、
前記複数項目の計測結果と、前記複数項目のそれぞれに関する標準値との相対関係を示すグラフを作成するグラフ作成手段と、
前記グラフを表示するモニタとを含むことを特徴とする計測結果表示装置。
【請求項１６】
母体内の胎児に対する複数項目の計測結果の表示を行う計測結果表示装置に、
母体内の胎児に対して複数項目の計測を行うステップと、
前記複数項目の計測結果と、前記複数項目それぞれに関する標準値との相対関係を示すグラフを作成するステップと、
を実行させることを特徴とする計測結果表示装置の制御プログラム。
【発明の詳細な説明】
【技術分野】
【０００１】
本発明は、母体内の胎児に対する複数項目の計測結果の表示を行うための超音波診断装置、計測結果表示装置および計測結果表示装置の制御プログラムに関する。
【背景技術】
【０００２】
超音波診断装置による胎児計測は、母体に超音波プローブを当てて超音波診断画像を収集し、この超音波診断画像上に表示された胎児に対して、超音波診断装置に装備されている計測機能を利用することによって、胎児の発育の指標となる種々の項目について計測を行っている。この胎児計測は、ほぼ定期的に複数回実施され、各回毎に得られた計測結果（計測値）は、産科患者データベース内の当該患者（母体）のレポートエリアに過去の計測結果とともに記録される。そして、今回の計測結果は、発育曲線表示機能を利用して、妊娠週数を横軸とし測定値を縦軸とし、平均値や正常範囲の表示されているトレンドグラフ上にプロットされる（例えば、特許文献１参照。）。
【０００３】
ところで、胎児計測項目としては、一例を挙げると、ＡＡ：腹部断面積、ＡＣ：躯幹周囲長、ＡＰＡＤ：  腹部前後径、ＢＰＤ：児頭大横径、ＣＲＬ：胎児頭腎長、ＥＦＷ：推定体重、ＦＬ：大腿骨長、ＦＴＡ：躯幹横断面積、ＧＳ：胎嚢径、ＨＡ：児頭断面積、ＨＣ：児頭周囲長、ＯＦＤ：児頭前後径、ＴＡＤ：腹部横径、などがある。
【０００４】
発育状態に問題のある胎児（ハイリスク胎児）に対しては、さらに下記に示すようなその他の項目についても計測が行われることになる。ＣＥＲ：小脳、Clavicle：鎖骨長、Fibula：腓骨、Foot：児足長、Humerus：上腕骨、Kidney：腎臓長、Radius：橈骨、ＴＨＤ：胸郭径、Tibia：脛骨、Ulna：尺骨。
【０００５】
従って、上記のトレンドグラフは、計測項目毎に作成されることになる。なお、トレンドグラフに表示される計測項目に対する平均値や正常範囲は、信頼できるオーサーによって公表された標準値に独自に設定されたり、または、我国での標準値（ＪＳＵＭ）として一般的に知られているものに設定されたりする。
【０００６】
図７は、従来の超音波診断装置のモニタに表示された計測結果を例示したものである。ここでは、４種の計測結果が示されており、左上は児頭大横径（ＢＰＤ）の計測結果を、我国での標準値（ＪＳＵＭ）を採用したトレンドグラフ上に表示したものである。また右上は、児頭周囲長（ＨＣ）の計測結果を、オーサーとしてHadlock氏の標準値を採用したトレンドグラフ上に表示したものが示されている。そして左下は、躯幹周囲長（ＡＣ）の計測結果を、我国での標準値（ＪＳＵＭ）を採用したトレンドグラフ上に表示したものであり、同様に、右下は、大腿骨長（ＦＬ）の計測結果を、我国での標準値（ＪＳＵＭ）を採用したトレンドグラフ上に表示したものである。
【０００７】
なお、４種のグラフにはそれぞれ３本のトレンドグラフが表示されているが、このうち中央が平均値を示し、その平均値に対する上限値と下限値とによって正常とみなされる標準範囲を示している。
【特許文献１】特開平９−２５１３６４号公報
【発明の開示】
【発明が解決しようとする課題】
【０００８】
ところで、ユーザー（医師）が胎児の発育状況を評価しようとする場合、計測項目毎に表示させたトレンドグラフ上に計測値をプロットし、夫々の計測項目毎のグラフを観察することによって、総合的な判断をしなければならない。しかしながら、超音波診断装置における表示スペースの問題や見易さの観点から、一度に４項目程度のグラフしか表示できないので、多数の計測項目について状況を確認するためには、何度か表示画面を切替えて別の計測結果のグラフを表示させながら順次観察する必要があった。そして、図５からも明らかなように、計測項目毎に計測値のスケールが異なることもあり、ユーザーにとっては判断がし難く負担が大きいものであった。
【０００９】
また、ハイリスク胎児かどうかの判断に当っては、各計測項目間のバランスの把握が重要となる。例えば、ある項目が標準範囲を越えて大きい値を示している場合、全体的に発育が良いためにその計測項目の値が大きいのか、それともその計測項目だけが大きいのかによって、ハイリスク胎児かどうかの判断が分かれることにもなる。しかしながら、従来の計測項目毎のトレンドグラフ上に計測値をプロットする方法では、多数の測定項目を一度に見ることができないので、総合的な判断がし難いという問題があった。
【００１０】
本発明は、このような問題を解決することを目的としてなされたものであり、複数項目の計測に基づく胎児の状況の全体像を容易に把握することができる超音波診断装置、計測結果表示装置および計測結果表示装置の制御プログラムを提供することを目的とする。
【課題を解決するための手段】
【００１１】
上記課題を解決するため、本発明に係る超音波診断装置は、超音波の送受信によって得られた母体の画像に基づいて、前記母体内の胎児に対する複数項目の計測を行う超音波診断装置において、前記複数項目の計測結果と、前記複数項目のそれぞれに関する標準値との相対関係を示すグラフを生成するグラフ作成手段と、前記グラフを表示するモニタと、を含むことを特徴とする。
【００１２】
また、本発明に係る計測結果表示装置は、母体内の胎児に対する複数項目の計測結果の解析を行う計測結果表示装置において、前記複数項目の計測結果と、前記複数項目のそれぞれに関する標準値との相対関係を示すグラフを作成するグラフ作成手段と、前記グラフを表示するモニタとを含むことを特徴とする。
【００１３】
さらに、本発明に係る計測結果表示装置の制御プログラムは、母体内の胎児に対する複数項目の計測結果の解析を行う計測結果表示装置に、母体内の胎児に対して複数項目の計測を行うステップと、前記複数項目の計測結果と、前記複数項目それぞれに関する標準値との相対関係を示すグラフを作成するステップと、を実行させることを特徴とする。
【発明の効果】
【００１４】
本発明によれば複数項目の計測に基づく胎児の状況の全体像を容易に把握することができる超音波診断装置、計測結果表示装置および計測結果表示装置の制御プログラムを提供することができる。
【発明を実施するための最良の形態】
【００１５】
以下、本発明に係る超音波診断装置および超音波診断装置に備えられたコンピュータで利用されるプログラムの実施例について、図１ないし図６を参照して詳細に説明する。
【００１６】
(実施例１)
図１は、本発明に係る超音波診断装置の実施例１の概略的な構成を示したブロック図である。この超音波診断装置は、超音波プローブ１、送受信制御部（Ｔ／Ｒ部）３、信号処理部５、デジタルスキャンコンバータ部（ＤＳＣ部）７、モニタ９、ホストシステム１１、リムーバブルディスクドライブ１３、ハードディスクドライブ（ＨＤＤ）１５、パネルサブシステム１７、胎児計測機能部１９を備えている。
【００１７】
Ｔ／Ｒ部３によって制御される超音波プローブ１は、図示しない母体に対して超音波を送波するとともに、その母体からの反射波を受波してＴ／Ｒ部３へ送出する。またＴ／Ｒ部３は、その受波信号を信号処理部５へ供給し、信号処理部５は供給された受波信号に基づいて、母体および胎児を表す例えばＢモードの超音波画像を生成する。ここで生成されたＢモードの超音波画像は、ＤＳＣ７によってＴＶフォーマットのビデオ信号に変換された後、モニタ９に表示される。
【００１８】
パネルサブシステム１７はホストシステム１１との間で、ユーザー（医師）からの種々の指示入力を処理するものであって、タッチコマンドスクリーン（ＴＣＳ）２１、キーボード（ＫＢ）２３、マウス２５、トラックボール２７に接続されている。
【００１９】
また、胎児計測機能部１９は胎児計測部２９、過去計測結果表示部３１、今回計測結果表示部３３、グラフ作成処理部３５から構成されている。この胎児計測機能部１９には、胎児の計測結果を保存するための項目計測結果保存部３７が接続されており、項目計測結果保存部３７は、今回計測結果保存部３９および過去計測結果保存部４１を備えている。なお、胎児計測機能部１９は、病院情報システム（ＨＩＳ）が備える産科患者データベース４３に対してアクセス可能となっている。
【００２０】
次に、上記のように構成された本実施例に係る超音波診断装置における胎児計測の流れを、図２に示したフローチャートを参照しながら説明する。
【００２１】
胎児計測を開始するにあたり、先ず患者ＩＤを入力する（ステップ１）。患者ＩＤは母体を識別するためのものであり、その情報は産科患者データベース４３に格納される。次にユーザーがその患者（母体）に超音波プローブ１を当てて胎児の画像をモニタ９に表示させる（ステップ２）。胎児の画像が得られたら次にユーザーは胎児計測の実行を指示する（ステップ３）。具体的には、ＴＣＳ２１に表示されている胎児計測開始スイッチを押す。よって、この指示がパネルサブシステム１７を介してホストシステム１１へ伝達され、ホストシステム１１は予めプログラムされた手順に従って、胎児計測機能部１９内の胎児計測部２９による所定項目の計測処理を、順次実行させる（ステップ４）。この計測結果は、項目計測結果保存部３７内の今回計測結果保存部３９に保存される（ステップ５）。
【００２２】
次に、ステップ６として、所望の全ての項目についての計測が終了したかどうかの判定がなされ、全ての計測が終了していればステップ７へ進み、未計測の項目が残っていればステップ４へ戻って計測を続けることになる。全ての計測が終了していれば、ステップ７において計測結果がモニタ９に一覧表示される。すなわち、項目計測結果保存部３７の今回計測結果保存部３９に保存された、今回計測された各計測項目の結果を読み出してモニタ９に表示する。
【００２３】
ここでは、計測結果としてのデータが羅列されるだけなので、計測結果の評価がし難い。そこでユーザーは、計測結果の評価がし易くなるように、ステップ８として、グラフ作成処理部３５へレーダーチャートの作成を指示する。この場合も、例えばＴＣＳ２１に表示されているレーダーチャートの作成開始スイッチを押すことにより、この指示がパネルサブシステム１７を介してホストシステム１１へ伝達され、ホストシステム１１は予めプログラムされた手順に従って、グラフ作成処理部３５にグラフ作成指示画面を表示させ、グラフ作成処理部３５はこの画面によって指定された内容に基づきレーダーチャートを作成する。
【００２４】
図３は、モニタ９に表示されたグラフ作成指示画面１００と、その指示に基づき作成されたレーダーチャート１１０の一例を示したものである。
【００２５】
すなわち、ステップ８としてレーダーチャートの作成が指示されると、モニタ９の画面の上部に、胎児Ａ（Fetus A）についてのレーダーチャートにできる計測項目とそのチェックボックス１０１とが一覧表示される。従ってユーザーは、マウス２５などを用いて表示したい項目にチェックを入れる。図３では、ユーザーによってＢＰＤ、ＨＣ、ＡＣ、ＦＬ、ＥＦＷの５項目が指定された様子が示されている。
【００２６】
この指定結果は、ホストシステム１１を介して胎児計測機能部１９内のグラフ作成処理部３５へ伝達され、グラフ作成処理部３５で作成されたレーダーチャートが、モニタ９に表示される（ステップ９）。なおこのとき、各計測項目についてレーダーチャートの軸をパーセント（％）スケールとし、各軸の真中（５０％）が当該妊娠週数（ＧＡ）１０４における平均値になるように設定される。ただし軸の目盛としては、パーセント目盛の他に計測値目盛も表示できるようにしている。また、（％）スケールの表示を行わずとも、各軸の真中に平均値であることを示す「AVG」などの印を付してもよい。
【００２７】
また、各計測項目についての平均値や上限値および下限値の標準値については、一般的によく知られた標準値（日本においてはＪＳＵＭ）があるものの、ユーザーが経験的な統計データに基づいて独自に設定していることも多く、種々のオーサーによる数値も公表されていて、どの標準値を採用するかはユーザーによって異なる。よって、レーダーチャートの各軸には、計測項目名１１１が表示されるとともに、その右横に平均値として採用された標準値１１２が表示されるようになっている。そして、この標準値１１２は、必要に応じてプルダウンで所望のものに変更できるようになっている。
【００２８】
なお、レーダーチャート１１０に表示する計測項目ごとの標準値として、例えば日本においてよく知られた標準値であるＪＳＵＭをデフォルトとして表示するように設定してあるが、所望の標準値に変更されたときには、選択された標準値に対応する平均値、上限値、下限値に軸のスケールを自動的に変更し、計測値のプロット位置も変更される。図３に示すレーダーチャート１１０には、平均値としてＨＣ（児頭周囲長）のみをオーサー「Hadlock」による標準値を採用し、他は日本においてよく知られた標準値（ＪＳＵＭ）が採用された様子が示されている。
【００２９】
本実施例では、どの標準値を採用するかは、各計測項目毎に設定できるものとしているがこれに限らない。表示される全ての計測項目に対して一括にどの標準値を採用するかを設定しうるプルダウンメニューを設けるなどしてもよい。
【００３０】
また、上限値と下限値にはさまれた範囲１１３を着色したり網かけすることによって目立つように表示したり、平均値１１４、上限値１１５および下限値１１６をそれぞれ数値で表示し、上述の範囲１１３の近傍に配置している。そして、当該胎児Ａの実計測値はレーダーチャートの軸上に丸印１１７で表示してある。なお、図３において、計測項目名１１１、標準値１１２、範囲１１３、平均値１１４、上限値１１５、下限値１１６と丸印１１７の説明はＥＦＷの軸についてのみ番号を付している。他の項目もそれぞれ同様であるので、ＥＦＷの軸以外の付番を省略している。
【００３１】
さらに本実施例では、過去の計測結果もレーダーチャートとして表示することができる。すなわち、図３に示されているように、グラフ作成指示画面には、「Prev」ボタン１０２と「Next」ボタン１０３とが設けられている。従って、「Prev」ボタン１０２をマウス２５などで１回クリックすると、これにより過去計測結果保存部４１から前回（例えば４週間前）の検査の結果を読み出し、グラフ作成処理部３５において、現在のレーダーチャートに表示しているものと同じ条件でレーダーチャートを作成してモニタ９に表示する。そして、「Next」ボタン１０３をクリックすることによって元に戻すことができる。
【００３２】
なお、前回の検査結果のレーダーチャートを表示した後で、さらにもう１回「Prev」ボタン１０２をクリックすると、さらにその前の検査結果に基づくレーダーチャートを表示することになる。なお、産科日付情報の妊娠週数（ＧＡ）１０４は、「Prev」ボタン１０２、「Next」ボタン１０３の操作に応じて、検査を実施した日の妊娠週数を表示するように変更されることは言うまでもない。また、過去の計測結果をレーダーチャートとして表示する機能を応用して、異なった妊娠週数のレーダーチャートをいくつか作成して１画面に表示させることができる。このようにすれば、発育経過をより慎重に観察することができる。
【００３３】
（実施例２）  
次に、本発明の実施例２として、複数胎児の計測結果をレーダーチャートとして表示する場合について説明する。なお、複数胎児の計測の仕方については、種々の技術が提案されているので、それらの技術に基づき複数胎児の計測が胎児計測機能部１９によってなされ、その計測結果が項目計測結果保存部３７に保存されているものとして、以下実施例におけるレーダーチャートの表示についてのみ説明するものとする。
【００３４】
図４は、実施例２として、複数胎児の計測におけるモニタ９に表示されたグラフ作成指示画面と、その指示に基づき作成されたレーダーチャートを示したものである。すなわち、図２を参照して説明した胎児計測の動作において、ステップ８としてグラフ作成処理部３５へレーダーチャートの作成が指示されると、モニタ９の画面に、図４の上部に示すようなグラフ作成指示画面が表示される。
【００３５】
なお、グラフ作成指示画面としては、図３では単数胎児を対象としていたので、胎児Ａ（Fetus A）のみしか表示されていなかったが、図４では、例えば４胎児までの表示が可能なように、胎児Ａ（Fetus A）ないし胎児Ｄ（FetusＤ）と夫々を選択できるようにチェックボックス１０５が設けられているとともに、レーダーチャートに表示したときの識別マーク１０６が表示されている。そして、レーダーチャート１１０にできる計測項目とそのチェックボックス１０１とが一覧表示されること、および「Next」ボタン１０２や「Prev」１０３ボタンなどが表示されるのは図３の場合と同様であるので同一の番号を付し、説明は省略する。
【００３６】
ここで、胎児Ａ（Fetus A）と胎児Ｂ（FetusＢ）を選択して、そのレーダーチャートの作成が指示され、レーダーチャートとして表示する項目として、ＢＰＤ、ＨＣ、ＡＣ、ＦＬ、ＥＦＷの５項目が指定されているものとする。よってレーダーチャートの軸上に丸印１１７で胎児Ａの実計測値が表示されるとともに、同じ軸上に四角印１１８によって胎児Ｂの実計測値が表示される。これによって、胎児Ａと胎児Ｂの発育状況を容易に比較して確認することができる。なお、その他の表示に関する事項は図３の場合と同様なのでその説明は省略する。
【００３７】
（実施例３）
次に、本発明の実施例３として、胎児の計測結果をレーダーチャートではなく、棒グラフとして表示する場合について説明する。なお、胎児の計測の仕方については、実施例１と同じであるので省略し、胎児の計測が胎児計測機能部１９によってなされ、その計測結果が項目計測結果保存部３７に保存されているものとして、以下本実施例における棒グラフの表示についてのみ説明するものとする。
【００３８】
図５は、本実施例の胎児の計測におけるモニタ９に表示された棒グラフを示したものである。図２を参照して説明した胎児計測の動作は、本実施例においては、ステップ８としてグラフ作成部へ棒グラフの作成が指示され、モニタ９の画面に、グラフ作成指示画面が表示される。グラフ作成指示画面は、実施例１で説明したグラフ作成指示画面と同様でよいので、ここでは説明を省略する。
【００３９】
グラフ作成処理部３２は、グラフ作成指示画面に基づく指示により、例えば図５に示されるようなＦｅｔｕｓＡについてのＢＰＤ、ＨＣ、ＡＣ、ＦＬ、ＥＦＷに対応した棒グラフを作成する。このグラフでは、縦軸の真中に位置する点線が各項目の平均値を示す点線１３１であり、真中の点線の上下に位置する点線が各計測値の上限値を示す点線１３２と下限値を示す点線１３３である。それぞれの計測項目において、棒グラフのスケールは平均値、上限値、下限値によってノーマライズされ、実計測値と当該計測項目の平均値、上限値、下限値との相対関係を表す棒グラフが表示されることとなる。
【００４０】
図５の場合では、平均値などの標準値の選択は、全ての計測項目で一括して行うよう１つのプルダウンメニュー１３４が表示される。しかし、本実施例はこれに限られるものではなく、実施例１と同様に各計測項目毎に標準値を選択できるとしてもよい。また、図５では単数の胎児を対象とし、プルダウンメニュー１３５によって胎児の選択を行うものとしているが、本実施例はこれに限られるものではなく、実施例２で説明したような手順によって複数胎児に対してのグラフが作成されてもよい。
【００４１】
さらに本実施例は棒グラフを例として説明したがこれに限られない。折れ線グラフや散布図、その他周知の図示方法によって様々に応用可能であることはいうまでもない。また、ユーザーの好みによって、どのような図示方法を用いるかを選択可能である構成であってもよい。この場合、実施例１で説明したようなレーダーチャートも選択可能とすることが好ましい。
【００４２】
（実施例４）
次に、本発明の実施例４として、胎児の計測結果を時系列な要素を含む折れ線グラフ棒として表示する場合について説明する。なお、胎児の計測の仕方については、実施例１と同じであるので省略し、胎児の計測が胎児計測機能部１９によってなされ、その計測結果が項目計測結果保存部３７に保存されているものとして、以下本実施例における折れ線グラフの表示についてのみ説明するものとする。
【００４３】
図６は、本実施例の胎児の計測におけるモニタ９に表示された折れ線グラフを示したものである。図２を参照して説明した胎児計測の動作は、本実施例においては、ステップ８としてグラフ作成部へグラフの作成が指示され、モニタ９の画面に、グラフ作成指示画面が表示される。グラフ作成指示画面は実施例１で説明したグラフ作成指示画面とほぼ同様でよいが、本実施例においては時系列的な範囲を指定するための表示が必要となる。ここでは例えば、妊娠何月目から何月目についてグラフ作成するかを選択、又は入力するための画像が表示されるものとする。グラフ作成処理部は、グラフ作成指示画面を用いた指示に基づき、過去計測結果保存部３９又は今回計測結果保存部４１から計測結果を読み出し、これをもとに折れ線グラフを作成する。その他については実施例１で説明したグラフ作成指示画面と同様でよいので、ここでは説明を省略する。
【００４４】
グラフ作成処理部は、例えば図６に示されるようなＢＰＤ、ＨＣ、ＡＣに対応した折れ線グラフを作成する。このグラフでは、縦軸は図５の場合と同様に真中に位置する点線が各項目の平均値を示す点線１４１であり、真中の点線の上下に位置する点線が各計測値の上限値を示す点線１４２と下限値を示す点線１４３を示す。それぞれの計測項目において、棒グラフのスケールは平均値、上限値、下限値によってノーマライズされ、実計測値と当該計測項目の平均値、上限値、下限値との相対関係に応じた位置にそれぞれの計測項目に対応する図形が表示される。ここでは四角がＢＰＤ、丸がＨＣ、三角がＡＣに対応している。
【００４５】
折れ線グラフの横軸は妊娠月数を示す。図５の場合では、妊娠５ヶ月から妊娠７ヶ月までを１ヶ月区切りで表示している。それぞれの妊娠月数に対応する位置に各計測項目を示す図形が表示される。さらに、同一の計測項目を表す図形が直線で結ばれて折れ線グラフとなる。
【００４６】
図６の場合では、平均値などの標準値の選択は、全ての計測項目で一括して行うよう１つのプルダウンメニュー１４４が表示される。しかし、本実施例これに限られるものではなく、実施例１と同様に各計測項目毎に標準値を選択できるとしてもよい。また、図６では単数の胎児を対象とし、プルダウンメニュー１４５によって胎児の選択を行うものとしているが、本実施例はこれに限られるものではなく、実施例２で説明したような手順によって複数胎児に対してのグラフが作成されてもよい。  さらに本実施例は折れ線グラフを例として説明したがこれに限られない。棒グラフや散布図、その他周知の図示方法によって様々に応用可能であることはいうまでもない。
【００４７】
以上詳述したような実施例によれば、複数の胎児計測項目についての計測結果を表示するので、各計測結果に基づく胎児の発育状況の全体像を容易に把握することができ、胎児の発育状況のバランス評価を極めて容易に実施することができる。よって、操作性の向上と検査のスループットの向上を図ることができる。
【００４８】
さらに、レーダーチャートやグラフを標準値に基づいたパーセントスケールとすることにより、計測値のスケールの違いを意識することなく全体的な評価が可能となり、ユーザーの負担を軽減でき、ハイリスク診断もし易くなり、ハイリスク診断の漏れも防止することができる。
【００４９】
また、図４において、胎児ＢのＢＰＤが平均値よりも大きく外れていることを、ユーザーがリスク大であると判断したようなときに、そのことについて注意を喚起するために、符号５０を付して示してあるように、レーダーチャート画面上に、適宜の文字や線、マークなどを記入するようにしても良い。これは、パネルサブシステム１７にそのような機能をもたせることによって実現することができる。
【図面の簡単な説明】
【００５０】
【図１】本発明に係る超音波診断装置の一実施例の概略的な構成を示した系統図である。
【図２】胎児計測の流れを説明するために示したフローチャートである。
【図３】モニタに表示されたグラフ作成指示画面と、その指示に基づき作成されたレーダーチャートの一例を示した図である。（実施例１）
【図４】モニタに表示されたグラフ作成指示画面と、その指示に基づき作成されたレーダーチャートの他の例を示した図である。（実施例２）
【図５】モニタに表示された棒グラフの一例を示した図である。（実施例３）
【図６】モニタに表示された折れ線グラフの一例を示した図である。（実施例４）
【図７】従来の超音波診断装置における胎児計測結果の表示例を示した図である。
【符号の説明】
【００５１】
１  超音波プローブ
３  送受信制御部（Ｔ／Ｒ部）
５  信号処理部
７  デジタルスキャンコンバータ部（ＤＳＣ部）
９  モニタ
１１  ホストシステム
１７  パネルサブシステム
１９  胎児発育計測機能部
２９  胎児発育計測部
３１  過去計測結果表示部
３３  今回計測結果表示部
３５  レーダーチャート作成処理部
３７  項目計測結果保存部
３９  今回計測結果保存部
４１  過去計測結果保存部 
【図１】
2006326285.tif 000003
【図２】
2006326285.tif 000004
【図３】
2006326285.tif 000005
【図４】
2006326285.tif 000006
【図５】
2006326285.tif 000007
【図６】
2006326285.tif 000008
【図７】
2006326285.tif 000009